(57)【要約】【課題】  重量計を付加して付加価値を高めた携帯電話機用のストラップを得る。【解決手段】  携帯電話機用のストラップ１を構成する紐部１１と根付け部１２とを連結する留め具に、バネ秤２１を設ける。紐部１１には、被測定物を挟止する鰐口クリップ２６を取付け、この鰐口クリップ２６により被測定物を挟止して、重量測定を可能とする。これにより、どこでも、いつでも、物の重さを量ることができ、また、携帯電話機用のストラップの付加価値を高めることができる。【選択図】      図１
2007053509.tif 000002
【特許請求の範囲】
【請求項１】
紐部と根付け部とが留め具により連結された携帯端末用ストラップであって、前記留め具に、重量計を設けたことを特徴とするストラップ。
【請求項２】
前記紐部に、被測定物を挟止する挟止部材を連結したことを特徴とする請求項１記載のストラップ。
【請求項３】
前記重量計はバネ秤構造であることを特徴とする請求項１または２記載のストラップ。
【請求項４】
前記重量計は圧電素子を用いたことを特徴とする請求項１または２記載のストラップ。
【請求項５】
前記圧電素子の出力信号をデジタル処理する電子回路と、このデジタル処理出力を表示する表示手段とを有することを特徴とする請求項４記載のストラップ。
【請求項６】
前記電子回路に対する処理操作をなす操作部を、更に有することを特徴とする請求項５記載のストラップ。
【発明の詳細な説明】
【技術分野】
【０００１】
本発明は携帯端末用ストラップに関し、特に携帯電話機に用いて好適なストラップの構造に関するものである。
【背景技術】
【０００２】
携帯電話機用のストラップについて図６及び図７を参照して説明する。ストラップ１は、一般的に、図６に示すように、携帯電話機９の筐体の側面に設けられた小さな係留孔９１を用いて、携帯電話機本体に取付けられて、携帯時において携帯電話機が落下するのを防止したり、ポケットや鞄などの収納部から携帯電話機を取り出すのを容易にするために用いられるようになっている（特許文献１参照）。
【０００３】
ストラップ１は、図７に示すように、手で掴むための紐部１１と、携帯電話機９の筐体の係留孔９１を通して筐体に結びつけるための根付部１２と、これら紐部１１と根付部１２とを連結するための留め具１３とから構成されている。
【０００４】
この様な携帯電話機用ストラップに、ユーザの好みに応じて、いわゆるキャラクターやアクセサリーなどの様々な飾り物を取付けて装飾して用いることも広く普及している。ストラップに取付けられているキャラクターやアクセサリーが、携帯電話機に着信があると、電磁波により揺れ動くようにした構成のものもあり（特許文献２参照）、また、イヤホーン付きのストラップも提案されており（特許文献３参照）、ストラップに付加価値を付与するようになってきている。
【０００５】
更に、ストラップの紐の先端部分に、クリップを取付けて、このクリップを服などに固定することにより、携帯電話機がポケットから落下することを防止するようにした構成もある（特許文献４参照）。
【０００６】
【特許文献１】特開２００３−１１１６１１号公報
【特許文献２】特開２０００−２３６３７１号公報
【特許文献３】特開２００１−３２６７１２号公報
【特許文献４】特開平８−２７４８５２号公報
【特許文献５】特開平１０−２８８５４５号公報
【発明の開示】
【発明が解決しようとする課題】
【０００７】
上述した様に、携帯電話機用ストラップは、落下防止の本来の機能の他に、種々の付加価値機能を備えた構造のものに変化しているが、重量計の機能を有するストラップは未だ存在しない。例えば、郵便物の料金はその重量により異なるために、多種多量の郵便物を扱う場合には、個々の郵便物の重量を知ることは重要となる。そこで、常時携帯している携帯電話機に取付けられているストラップに、重量計の機能を設けて付加価値を高めれば、重量計を持ち運ぶこともなく、またポケットや鞄の中の嵩張りを減らすこともでき、更には重量計を探したりすることなく、必要なときに直ちに重量を量ることができる。
【０００８】
ここで、特許文献５を参照すると、重量計にストラップを取付けた技術が提案されているが、この技術では、単に重量計の携行性を向上させたものにすぎず、携帯電話機用ストラップに重量計機能を設けて、付加価値機能を高めたのではない。
【０００９】
本発明の目的は、重量計の機能を付加して付加価値機能を高めた携帯端末用ストラップを提供することである。
【００１０】
本発明の他の目的は、重量計を持ち運ぶ必要がなく、ポケットや鞄の中の嵩張りを減少させることが可能な携帯端末用ストラップを提供することである。
【００１１】
本発明の更に他の目的は、重量計を落としたり失くしたり、置き忘れたりすることが防止可能な携帯端末用ストラップを提供することである。
【課題を解決するための手段】
【００１２】
本発明によるストラップは、紐部と根付け部とが留め具により連結された携帯端末用ストラップであって、前記留め具に、重量計を設けたことを特徴とする。そして、前記紐部に、被測定物を挟止する挟止部材を連結したことを特徴とする。
【００１３】
また、前記重量計はバネ秤構造であるか、圧電素子を用いたものであることを特徴とし、前記圧電素子を用いた場合には、この圧電素子の出力信号をデジタル処理する電子回路と、このデジタル処理出力を表示する表示手段とを、更に有することを特徴とし、また前記電子回路に対する処理操作をなす操作部を、更に有することを特徴とする。
【発明の効果】
【００１４】
本発明によれば、携帯端末用ストラップの紐と根付とを連結する留め具に重量計を埋め込むことにより、ストラップに付加価値を高めることができるという効果がある。また、本発明によれば、携帯端末用ストラップに重量計が付加されているので、移動中など、いつでもどこでも物の重さを量ることができ、また重量計を持ち運ぶ必要がなく、携帯物を減らすことができるという効果もある。
【発明を実施するための最良の形態】
【００１５】
以下に図面を用いて本発明の実施の形態について説明する。図１は本発明の一実施の形態を示す図であり、一部拡大断面図を含む全体構成図である。図１において、図６及び図７と同等部分は同一符号により示している。
【００１６】
図１を参照すると、本実施の形態によるストラップ１は、手で掴むための紐部１１と、携帯電話機（図示せず）の筐体側面に設けられた係留孔（図６の９１参照）を通して筐体に結びつけるための根付部１２と、これら紐部１１と根付部１２とを連結するための留め具（図７の１３参照）の代りとなるバネ秤部２１とを有している。
【００１７】
根付部１２はバネ秤２１の円筒カバー２３の上面に取付けられており、例えば、カバー２３の上面に設けられた小さな貫通孔を通して、カバー２３の内面において合成樹脂により固めて貼り付けられている。紐部１１についても、同様に、バネ秤２１のスケール円筒２４の底面に設けられた小さな貫通孔を通して、スケール円筒２４の内面において合成樹脂により固めて貼り付けられている。
【００１８】
バネ秤２１の円筒カバー２３とスケール円筒２４とは、内部においてコイルスプリング２７によって連結されており、コイルスプリング２７の上部の先端部は、カバー２３の内側に取付けられ、コイルスプリング２７の下部の先端部は、スケール円筒２４の内側に取付けられている。スケール円筒２４は円筒カバー２３内に嵌合されており、コイルスプリング２７の伸縮に応じて、スケール円筒２４が円筒カバー２３内でピストン運動をなすようになっている。
【００１９】
こうすることにより、紐部１１に重量が加わると、スケール円筒２４が下方向に引っ張られてコイルスプリング２７が伸長する。従って、スケール円筒２４の外周に描かれているスケールにより、重量に相当する値が判断できることになる。
【００２０】
物の重量を量るために、例えば金属製のリング２５により、紐部１１に鰐口クリップ２６が連結されている。図２を参照すると、紐部１１と鰐口クリップ２６との連結態様の詳細が示されており、紐部１１にリング２５を通し、また鰐口クリップ２６の把手部分の孔にリング２５を通すことにより、紐部１１と鰐口クリップ２６とが連結されている。なお、図１において、重量を量る対象物として郵便物が示されている。
【００２１】
物の重量を量るときには、この物を鰐口クリップ２６で挟止し、重量を量らないときには、鰐口クリップ２６にプラスチック製またはシリコン製の軟らかいカバーを嵌めることにより、このストラップをポケットや鞄に入れていても、他の物に絡み合うことはなく、携帯電話機をストラップ１の紐部１１を取って引き出すことができる。
【００２２】
また、コイルスプリング２７の緩みと、それに起因する測定精度の劣化を防止するために、バネ秤２１を使用しない場合には、力が加わっても、スケール円筒２４が円筒カバー２３から出ないように、スケール円筒２４を固定するためのストッパ機構を備えるようにする。このストッパ機構は、市販の周知の簡単な仕組みを用いることができ、よって、図面上でも説明上でも、詳細は開示せず、概要のみを述べる。
【００２３】
例えば、スケール円筒２４の下端外周面に細い小さな溝２８を設けておき、円筒カバー２３の外周部にストッパ用のスライドスイッチ２９を設けておく。スケール円筒２４をカバー２３に固定する場合には、スケール円筒２４をカバー２３内に押し込み、スライドスイッチ２９を点線で示す下方位置まで移動させ、しかる後に、このスイッチ２９をカバー２３の内側方向へ押し込むことにより、スイッチ２９の尖っている先端が溝２８に係留され、バネ秤を固定することができる。なお、この固定を解除するには、逆の操作を行えば良い。
【００２４】
図３は本発明の他の実施の形態の全体を示す図であり、図１と同等部分は同一符号により示している。本例においても、紐部１１と根付部１２とが連結される留め具３３が重量計付き留め具となっている。この留め具３３には、紐部１１の先端の鰐口クリップ２６により挟止されている被測定物の重量を量る圧力センサーが内蔵されている。この圧力センサーにより重量を電子的に量って、表示部３４に表示させるようになっている。
【００２５】
この表示部３４は、一般に、小型の液晶画面やＬＥＤにより構成されている文字や数字などの表示画面が用いられる。また、表示部３４の近傍には、操作ボタン３７が設けられており、重量測定を実施するために、また重量測定や表示の設定、調整を行うために用いられる。
【００２６】
鰐口クリップ２６により被測定物を挟止することにより、図４に示す如く、紐部１１を介して重量計付き留め具３３の下方の紐取付部材４５により、重力伝達部材４１に重力が加わることになる。この重力は重力伝達部材４１の下部の円筒形部に伝わり、重力伝達部材４１の上部の傘形の部分を、下方へ引っ張りつつ、土台部４４の上に取付けられている圧力センサー部４３を下方へ押し潰すことになる。すなわち、重力伝達部材４１は重力を圧力に変換する機能を有している。従って、紐部１１に加わる重量に応じた圧力が圧力センサー部４３に加わり、この圧力に応じた電流が圧力センサー部４３から出力される。
【００２７】
ここで、図５を参照すると、重量計付き留め具３３には、重量測定データ及び測定操作の設定などをなすためのデジタル電子回路が内蔵されており、基本的に、ワンチップ型のマイコン（制御部として機能するもので、ＣＰＵ）５１などのような、制御処理、演算処理を行うためのＩＣを有している。なお、コストと大きさをできるだけ小さく抑えるために、周辺デバイスのインタフェースとそれを駆動するドライバ回路とが、このマイコン５１に内蔵されている。
【００２８】
図５に示す如く、マイコン５１と、操作ボタン３７と、圧力センサー部４３と、表示部３４と、電源供給用の電池５２とからなっており、電池５２は低コストの市販されている標準的な小型のボタン形電池とするのが良く、表示部３４の裏面に埋め込む構造とするのが良い。電池を覆う蓋を開閉自在としておき、電池の交換を容易とする。全ての周辺デバイスを、直接に電池５２から電源を供給することもできるが、電池５２がマイコン５１としか接続されておらず、マイコン５１が周辺デバイスに必要な電源を調整して供給する構成とする方が、周辺デバイスの電源配線系統が不要になるという利点がある。
【００２９】
マイコン５１は、ユーザと接点を有する複数の操作ボタン３７と、被測定物の重さに対応した電流をマイコン５１へ供給する圧力センサー部４３と、被測定物の重量を数字に変換した値やその他の制御情報を表示する表示部３４と接続されている。
【００３０】
複数の操作ボタン３７を用いて、ユーザがマイコン５１に要求を通知することができる。またその要求を選択したり確認したりするために、マイコン５１がそのための情報を表示部３４に表示するようになっている。複数の操作ボタン３７は、例えば、重量測定の要求を出したり、圧力センサー部４３の電流値を校正したり、測定機能を終了させて圧力センサー部４３への電源を断としたりするものである。また、圧力センサー部４３への電源を断とした状態において、表示部３４に、例えば、時刻などの情報を表示することもでき、時刻の調整も操作ボタン３７により行うことができるものとする。
【００３１】
上述の如く、圧力センサー部４３は、被測定物の重さまたはそれを引起こす重力に相当する電流をマイコン５１へ供給する。マイコン５１はその電流値を、例えば、予め格納されているデータ表を参照して、重量値を表す数字に変換する。この数字を信号に変換して表示部３４へ送出して表示部３４により重量表示がなされることになる。
【００３２】
上記の各実施例においては、携帯電話機用のストラップについて説明したが、これに限らず、携帯通信端末や携帯情報処理端末のストラップに広く適用できることは明らかである。
【図面の簡単な説明】
【００３３】
【図１】本発明の一実施の形態の全体図と一部断面図である。
【図２】図１の一部拡大図である。
【図３】本発明の他の実施の形態の全体図である。
【図４】図３の一部拡大断面図である。
【図５】図３の留め具３３に付加されている重量計の機能ブロック図である。
【図６】一般的な携帯電話機用ストラップを携帯電話機本体に取付けた状態を示す図である。
【図７】一般的な携帯電話機用ストラップを示す図である。
【符号の説明】
【００３４】
１  携帯電話機用ストラップ
１１  紐部
１２  根付部
１３  留め具
２１  バネ秤部
２３  円筒カバー
２４  スケール円筒
２５  金属リング
２６  鰐口クリップ
２７  スプリングコイル
２８  溝
２９  スライドスイッチ
３３  重量計付き留め具
３４  表示部
３７  操作ボタン
４１  重力伝達部材
４３  圧力センサー部
４４  土台部
５１  マイコン
５２  電池
【図１】
2007053509.tif 000003
【図２】
2007053509.tif 000004
【図３】
2007053509.tif 000005
【図４】
2007053509.tif 000006
【図５】
2007053509.tif 000007
【図６】
2007053509.tif 000008
【図７】
2007053509.tif 000009